(57)【要約】【課題】遊技球の払出しを上皿と下皿とに振り分けることにより、遊技者の要望に柔軟に対応でき、また裏機構の簡素化及び小面積化した弾球遊技機を提供する。【解決手段】遊技球の払出しが発生すると、払出装置３０のモータ４５は正回転し、上皿１６と連通する球通路３２へ遊技球を払出す。このとき、球通路３２内に設けられた上皿満タンスイッチ３２ａによって上皿１６が満タンであることが検出されると、払出装置３０のモータ４５は逆回転し、払出装置３０は溢れ球通路３４と連通する球通路３３へと遊技球を払出し、遊技球は溢れ球通路３４を介して下皿１７へと流下する。【選択図】図１
2004236835.tif 000002
【特許請求の範囲】
【請求項１】
各々が上皿及び下皿に至るように連通された複数の球流下経路を有し、
前記複数の球流下経路の上部に払出装置を連通した構成において、
前記払出装置が遊技球を払出すときに、上皿の許容状態を判定する上皿状態判定手段と、
下皿の許容状態を判定する下皿状態判定手段とを有し、
前記上皿状態判定手段と前記下皿状態判定手段の判定情報を判断して払出し先を選択する選択手段を備え、
前記払出装置は、前記選択手段により前記上皿又は前記下皿に選択的に払出すことを特徴とする弾球遊技機。
【請求項２】
請求項１に記載される弾球遊技機において、
前記払出装置に正回転又は逆回転に回転方向を変更できるモータを備え、
前記モータは、正回転することにより前記上皿に遊技球を払出し、逆回転することにより前記下皿に払出すことを特徴とする弾球遊技機。
【請求項３】
請求項１乃至２に記載される弾球遊技機において、前記払出装置を上皿排出口に近接配置することを特徴とする弾球遊技機。
【請求項４】
請求項１乃至３に記載される弾球遊技機において、前記上皿と前記払出装置とを連通する球通路内に上皿用満タンスイッチを備えることを特徴とする弾球遊技機。
【請求項５】
請求項１乃至４に記載の弾球遊技機において、遊技者の操作によって前記払出装置の払出し先を選択可能とする選択手段を設けることを特徴とする弾球遊技機。
【請求項６】
請求項１乃至５に記載の弾球遊技機において、島設備の補給シュートから前記補給球通路内へと直接遊技球を供給することを特徴とする弾球遊技機。
【請求項７】
請求項１乃至６に記載の弾球遊技機において、前記上皿の球受皿部に遊技球の検出手段を設けることを特徴とする弾球遊技機。
【請求項８】
請求項１乃至７に記載の弾球遊技機において、前記上皿と前記下皿のどちらに遊技球を払出すのかを、遊技者に報知する手段を設けることを特徴とする弾球遊技機。
【発明の詳細な説明】
【０００１】
【発明の属する技術分野】
本発明は、払出経路を切換えることが可能な払出装置を備えた弾球遊技機に関する。
【０００２】
【従来の技術】
図７に示す、従来の弾球遊技機３１０における遊技盤裏面の構成は以下の通りである。
弾球遊技機３１０に取り付けられる遊技盤の裏面側は、遊技盤の裏面を保護する保護カバー３７１、ランプ制御基板を保護するランプ制御基板ケース３７２、主基板を保護する主基板ケース３７３、電源基板を保護する電源基板ケース３７４、ヒューズ３７４ａ、ＲＡＭの内容をリセットするＲＡＭクリアスイッチ３７４ｂ、弾球遊技機３１０の電源ＯＮ／ＯＦＦを切換えるための電源スイッチ３７４ｃ、遊技球の発射を制御するための発射制御基板を保護する発射制御基板ケース３７５、発射制御基板の命令によって駆動する発射モータ３７５ａ、下皿内の遊技球の貯留量が満タンであることを知らせる下皿満タンスイッチ３３４、遊技球の入賞に応じて払出す賞球数などを払出装置３３０に指示する払出制御基板を保護する払出制御基板ケース３７６、弾球遊技機３１０に発生した異常について報知するエラー表示部３７６ａ、エラーを報知している状態から通常の遊技状態へと切換えるためのエラー解除スイッチ３７６ｂ、ヒューズ３７６ｃ、遊技機接続コネクタ３７６ｄ、遊技を行っている最中の音楽、音声等を制御する音制御基板を保護する音声制御基板ケース３７７、遊技を行っている最中の音楽、音声等の音量の大小について操作する音量切換スイッチ３７７ａ、遊技者の購入に応じて遊技球を貸出す球貸機構部３７８、払出制御基板の命令によって賞球を払出す払出装置３３０から構成されており、他に、弾球遊技機３１０に電力を送るためのＡＣ１００Ｖ電源プラグ３７９ａ及びＡＣ２４Ｖ電源プラグ３７９ｂが外部電源に、外部接続アース３７９ｃが外部のアースへと接続可能に取り付けられている。
【０００３】
上記の部品の弾球遊技機３１０における配置は以下の通りである。
遊技盤裏面の上部中央から左側にかけて保護カバー３７１が設けられている。保護カバー３７１のさらに上方には外部接続アース３７９ｃが設けられ、外部接続アース３７９ｃの右方にはＡＣ３２４Ｖ電源プラグ３７９ｂが設けられている。上部右側で高さの概ね１／２の位置には払出装置３３０が設けられている。遊技盤裏面の中部中央から左側にかけて主基板ケース３７３が設けられている。中部右側には音声制御基板ケース３７７及び球貸機構３７８が近接する位置に設けられている。音声制御基板ケース３７７近傍には音声切換スイッチ３７７ａが設けられている。遊技盤裏面の下部左側には電源基板ケース３７４が設けられており、さらに電源基板ケース３７４の下方には発射制御基板ケース３７５及び発射モータ３７５ａが設けられている。電源基板ケース３７４近傍にはヒューズ３７４ａ、ＲＡＭクリアスイッチ３７４ｂ、電源スイッチ３７４ｃが設けられている。遊技盤裏面の下部中央から右側にかけて払出制御基板ケース３７６が設けられており、払出制御基板ケース３７６と電源基板ケース３７４の中間に下皿満タンスイッチが設けらている。払出制御基板ケース３７６近傍にはエラー表示部３７６ａ、エラー解除スイッチ３７６ｂ、ヒューズ３７６ｃが設けられている。また払出制御基板ケース３７６近傍の端子には遊技機接続コネクタ３７６ｄが取り付けられ、外枠３１８と連通している。外枠３１８にはＡＣ１００Ｖ電源プラグ３７９ｂが設けられている。
図７に示す通り、従来の弾球遊技機３１０においては遊技盤裏面の上部右側に設けられた払出装置３３０と、遊技盤裏面の下部中央から右側に設けられた払出制御基板ケース３７６との間は距離が開いており、払出装置３３０と払出制御基板とを結ぶためには相応の長さの配線を設けることが必要である。
【０００４】
図８（ａ）〜（ｃ）に示す、従来の弾球遊技機３１０の機構板３１１における遊技球の流下態様は以下の通りである。
黒い矢印Ｘは上皿へと至る遊技球流下経路を示している。球タンク３１３に貯留された遊技球Ｂはタンクレール３１３ａを経てケースレール３３５内に入球する。ケースレール３３５内の屈曲した球通路を流下して、払出装置３３０若しくは球貸装置３３６に入球し、上皿へと至る球通路３３２へと誘導される。このとき上皿が満タンであった場合、遊技球は球通路３３２に流下しても溢れてしまう。斜線の矢印Ｙは上皿が満タン時の遊技球の球流下経路を示している。溢れた遊技球は溢れ球通路３３４に流下し、溢れ球通路３３４を経て弾球遊技機３１０下端に位置する下皿へと流下する。
【０００５】
このような従来の弾球遊技機において上皿と下皿に払出しを振り分ける方法は、上皿が遊技球で満杯になり、上皿排出口の奥に設けられている溢れ球通路から遊技球が落下し下皿に払出す方法が一般的であるが、回転可能な板により、その角度で下皿に払出す方法（特許文献３）、正逆回転可能なモータを使用した払出装置にて、回転方向により賞球と貸球を別々に上皿、下皿に払出す方法（特許文献２）などがある。
【０００６】
【特許文献１】特開２０００−１４０３１１
特許文献１内の発明の実施の形態において、払出装置は弾球遊技機前面側の供給皿の上側に位置する払出口と連通している構成について記載している。この構成により遊技球を供給皿へスムーズに払出すことができる。またスムーズに払出すため部材を痛めず、寿命を延ばすことができる効果を記載している。
【０００７】
【特許文献２】特開平１１−３４７２２１
特許文献２に記載の発明は、正逆回転可能なモータを使用する払出装置により遊技球の流下先を切換可能な構成を有し、その発明の実施形態において、各球流下路を別々の球受け皿に通じる構成としても良い変更形態について記載している。
【０００８】
【特許文献３】特許第２８１７５５７号
特許文献３に記載の発明は、通常は従来通りに上皿が満杯になると余剰球を下皿に排出する構成で、回転可能な板は上皿の端部に形成した爪部によって水平状態を維持しているが、上皿を開口すると前記爪部が離脱し、回転支持板は支えをなくし回転し、回転支持板上の遊技球が合流シュートに落下して下皿に導出する。これにより、上皿を開口した時に遊技球がこぼれてこない。
【０００９】
【発明が解決しようとする課題】
一般的な上皿と下皿とに払出しを振り分ける方法では、例えば遊技者が、「もう時間がないから上皿にある球だけで止めよう。」と思っても始動口への連続入賞などにより上皿へ賞球が払出され、予想外に消化時間を要してしまうことがある。例えば、（１）時間がなくなったので上皿にある遊技球だけを消費して遊技を終わらせたい、（２）ＣＲ機を、距離が遠いなどの理由にて普段は訪れない遊技店で行う場合に、ＣＲ機用カードを使い終わる前に大当りを得てしまい、後日改めてその遊技店で遊技を行う可能性がないことからＣＲ機用カードの残高は玉を買って消費せざるを得ず、その場合に上皿を介して行うと、上皿から発射レールに玉を送るための玉送りケースに遊技球が入ってしまう可能性があるため無駄球が生じてしまう。それを知っていてもやるしかない場合、（３）当りを得たものの交換ナンバーのため早急にドル箱に移して遊技を再開したい等といった遊技者の要望に応える場合等である。
上記の課題を金銭的及び時間的に解決するためには、遊技者がハンドル操作により発射される遊技球を意図的にファール球にして下皿から排出しなければならず、これを実行するためには、ファール球が下皿から排出されるという知識を有し、尚且つ遊技球を遊技領域に至らないように発射強度を微妙に調整することが可能な技術を有する者にしか行えなかった。
本発明は、上記の事情を考慮してなされたものであり、その目的は遊技者の意に即した払出しを行う弾球遊技機を提供することである。
【００１０】
【課題を解決するための手段及び効果】
上記目的を達成するために、本発明の請求項１に記載の弾球遊技機は、各々が上皿及び下皿に至るように連通された複数の球流下経路を有し、前記複数の球流下経路の上部に払出装置を連通した構成において、前記払出装置が遊技球を払出すときに、上皿の許容状態を判定する上皿状態判定手段と、下皿の許容状態を判定する下皿状態判定手段とを有し、前記上皿状態判定手段と前記下皿状態判定手段の判定情報を判断して払出し先を選択する選択手段を備え、前記払出装置は、前記選択手段により前記上皿又は前記下皿に選択的に払出すことを特徴とする。払出しを上皿と下皿とに振り分けることにより、従来のように上皿が満タンになるのを待つ必要がなく、迅速に下皿から払出すことが可能になり、加えて、賞球を通称ドル箱へと迅速に移し変えることができる効果を奏する。
【００１１】
具体的には、島設備から供給される遊技球を貯える球タンクが設けられており、球タンクと払出装置とが連通し、払出装置へ遊技球を供給する弾球遊技機において実施することが好ましい。若しくは球タンク及びタンクレールを廃し、島設備と払出装置とが直接連通し、払出装置へ遊技球を供給する弾球遊技機において実施することが好ましい。
【００１２】
請求項２に記載の弾球遊技機は、請求項１に記載される弾球遊技機において、前記払出装置に正回転又は逆回転に回転方向を変更できるモータを備え、前記モータは、正回転することにより前記上皿に遊技球を払出し、逆回転することにより前記下皿に払出すことを特徴とする。
回転方向を変更することが可能なモータを使用し、モータの回転方向を制御することによって払出し先を上皿及び下皿に振り分けることが可能となる。即ち、モータが正回転するときは上皿に払出し、モータが逆回転するときは下皿に払出すといった払出し先の振り分けが可能である。なお、賞球のみ正逆回転によって上皿と下皿とに振り分けて払出す構成でも良いし、貸し球のみ正逆回転によって上皿と下皿とに振り分けて払出す構成でも良いし、賞球、貸球両方が上皿と下皿とに振り分けて払出す構成でも良い。
【００１３】
請求項３に記載の発明は、請求項１乃至２に記載される弾球遊技機において、前記払出装置を上皿排出口に近接配置することを特徴とする。
払出装置を従来の弾球遊技機における払出装置よりも下方である上皿排出口の近傍に設け、上皿排出口と連通することにより、入賞してから賞球を払出すまでの時間差を大幅に縮小することができる。また、払出装置を下方に移すため補給球通路のスペースが増加し、補給球通路内の貯留量が増大させることができる。さらに、払出装置と賞球制御基板の距離が近くなるため、払出装置と賞球制御基板との間の配線を容易することができる。また、上皿排出口と払出装置が直結しているため、上皿を開放したときに払出装置を停止して遊技球の流れを止めることによって、球零れを防止する効果を発揮する。なお、払出しを瞬時に停止するためにも、１球ずつ区切って払出すことが可能な払出装置を使用することが望ましい。
【００１４】
請求項４に記載の発明は、請求項１乃至３に記載される弾球遊技機において、前記上皿と前記払出装置とを連通する球通路内に上皿用満タンスイッチを備えることを特徴とする。
払出装置と上皿とを連通する球通路内に上皿満タンスイッチを備えることにより、上皿満タンスイッチの検出がＯＮされると即座に下皿へ払い出し、上皿満タンスイッチの検出がＯＦＦになれば上皿払出しに切換えることができる。前述した上皿の状態による遊技球の払出し先の変更を、断続的に繰り返すことができる。
【００１５】
払出す遊技球を計数するためのカウントスイッチを、払出装置の上方の球通路内に近接配置することが好ましい。
払出装置よりも上流の位置にカウントスイッチを設け、遊技球の払出数の計数を行うことによって、上皿と下皿への複合的な払い出しに対しても計数手段を複数必要とすることもなく、好適に計数することができる。
【００１６】
請求項５に記載の発明は、請求項１乃至４に記載の弾球遊技機において、遊技者の操作によって前記払出装置の払出し先を選択可能とする選択手段を設けることを特徴とする。
遊技者が選択手段を操作することによって上皿と下皿のどちらへ払出すかを指定することができ、遊技者の遊技状態に合わせた払出しを行うことができる。例えば、（１）時間がなくなったので上皿にある遊技球だけを消費して遊技を終わらせたい、（２）ＣＲ機を、距離が遠いなどの理由にて普段は訪れない遊技店で行う場合に、ＣＲ機用カードを使い終わる前に大当りを得てしまい、後日改めてその遊技店で遊技を行う可能性がないことからＣＲ機用カードの残高は玉を買って消費せざるを得ず、その場合に上皿を介して行うと、上皿から発射レールに玉を送るための玉送りケースに遊技球が入ってしまう可能性があるため無駄球が生じてしまう。それを知っていてもやるしかない場合、（３）当りを得たものの交換ナンバーのため早急にドル箱に移して遊技を再開したい等といった遊技者の要望に応える場合に効果を発揮する。このとき選択手段とは、遊技者が操作可能な位置に設けられた（例えば弾球遊技機前面）、タッチパネル、釦などが考えられる。
【００１７】
請求項６に記載の発明は、請求項１乃至５に記載の弾球遊技機において、島設備の補給シュートから前記補給球通路内へと直接遊技球を供給することを特徴とする。
補給球通路と補給シュートを直結するため、球タンクを必要とせず、弾球遊技機裏面の小面積化を実現できる。
【００１８】
請求項７に記載の発明は、請求項１乃至６に記載の弾球遊技機において、前記上皿の球受皿部に遊技球の検出手段を設けることを特徴とする。
例えば、上皿の球受皿部内の一部に金属製のプレートを設け、金属製のプレート上に遊技球が乗ることで通電するタッチセンサを配置することにより、上皿の球受皿部内に遊技を行うのに充分な遊技球があるか否かを検出することができる。
タッチセンサがＯＮの状態（球受皿部内に遊技球がある）のときには下皿に遊技球を払出し、タッチセンサがＯＦＦの状態（球受皿部内に遊技球がない）のときには上皿に遊技球を払出す。これにより好適に上皿と下皿に振り分けて払出すことが可能となる。
また上皿が満タンになれば前記記載の上皿満タンスイッチにて検出され、上皿の遊技球が少なくなれば球受皿部タッチセンサにて検出される。故に上皿の球受皿部内における遊技球の貯留量を好適に調整することが可能である。
なお、球受皿部内の遊技球数の増減を検出できるものであれば他のセンサ、手段を用いても良い。
【００１９】
請求項８に記載の発明は、請求項１乃至７に記載の弾球遊技機において、前記上皿と前記下皿のどちらに遊技球を払出すのかを、遊技者に報知する手段を設けることを特徴とする。
表示画面やランプの色、払出し音などを用いて、遊技球が上皿か下皿のどちらへと払出されるかを遊技者に報知することができる。故に遊技者に不要な混乱を与えることなく払出し先を切換えることができるという効果を奏する。なお、遊技者に払出し先を報知する手段は、表示画面、ランプの色、払出し音など遊技者に対して放置することが可能な手段であれば、報知手段の配置位置も含めて限定されるものではない。
【００２０】
上記記載の本発明と特許文献１とは、払出装置を配置した場所は同一であるが、払出装置の回転方向により上皿と下皿とに振り分けて払出すことは記載されていない点において異なる。
【００２１】
特許文献２は、球流下路２７は賞球用の流下路を指し、球流下路２８は貸球用の流下路を指していることから、賞球と貸球を上皿と下皿に振り分けて払出すと解釈することができる。しかしながら本発明は、払出す遊技球を払出装置により上皿と下皿とに振り分けて払出すものであり、賞球と貸球とで振り分けて払出してはいない点において特許文献２とは異なる。
【００２２】
本発明と特許文献３とは、遊技球を上皿と下皿とに払出すための切換え手段を有している点において共通しているが、払出装置によって切換えを行っていない点で異なる。
【００２３】
【発明の実施の形態】
以下に、本発明の好適な実施形態について図１〜６を参照して説明する。尚、本発明の実施の形態は、下記の実施形態に何ら限定されるものではなく、本発明の技術的範囲に属する限り種々の形態を採り得る。
【００２４】
図１及び図２を参照して弾球遊技機１０の概略構成を説明する。外周を外枠１８（図２参照）で囲まれた弾球遊技機１０の表面には、内枠１５が取り付けられ、内枠１５内には遊技盤面１２と、遊技盤面１２を保護する二重ガラス１４が取り付けられている。弾球遊技機１０の裏面上部には、遊技球Ｂを貯留するための球タンク１３が設けられ、この球タンク１３には、流出する遊技球Ｂを整列状態で流下させるタンクレール１３ａが接続されている。タンクレール１３ａの下端には、２条の球供給通路２０ａ，２０ｂが縦方向に設けられ、その球供給通路２０ａ，２０ｂの下端の球供給通路出口２３ａ，２３ｂに連通する位置には払出装置３０が設けられている。払出装置３０の下方には上皿１６と連通している球通路３２と、溢れ球通路３４と、溢れ球通路３４と連通し、下皿１７へと遊技球Ｂを誘導する球通路３３とが取り付けられている。球通路３２，３３及び溢れ球通路３４の裏面には、球通路３２，３３を裏側から覆うように賞球制御基板２２が取り付けられている（図２参照）。以下に各部の詳細を説明する。
【００２５】
図１及び図２の通り、球タンク１３は島設備から供給される遊技球Ｂを貯留し、下方に連通するタンクレール１３ａを介して２条の球供給通路２０ａ，２０ｂに遊技球を誘導する。このとき、タンクレール１３ａは球供給通路２０ａ，２０ｂに対応する２条の球通路を有している。
【００２６】
球供給通路２０ａ，２０ｂは縦方向に対して斜めに屈曲しながらタンクレール１３ａと払出装置３０の間を連通しており、球供給通路２０ａ，２０ｂは夫々球有り検出スイッチ２１ａ，２１ｂを備えている。球有り検出スイッチ２１は払出装置３０との間に所定の個数分（例えば１３個）の遊技球Ｂを貯留しているか否かを検出するため、球供給通路２０ａ，２０ｂ内において払出装置３０から所定の個数分（ここでは１３個）の遊技球Ｂを貯留する位置に設けられている。このため球供給通路２０ａ，２０ｂ内において１条につき１３個、２条で２６個の遊技球Ｂが貯留されているか否かについて検出することができる。２６個の遊技球を貯留するのは、現行の機種の標準的な賞球数が４個または１５個であり、双方同時に払出すことができる遊技球数を貯留するためであり、また、球貸しが１００円につき遊技球２５個であるため、球貸し１００円分の遊技球を滞りなく払出すためである。
なお、球有り検出スイッチ２１ａ，２１ｂによって検出する遊技球Ｂの個数は、機種毎の賞球数によって変化するため、２６個に限らず機種によって好適な貯留数とすることが好ましい。
【００２７】
球供給通路２０ａ，２０ｂは従来の弾球遊技機に備えられる球通路と比較して払出装置が下方に配置されることにより球供給通路はそれだけ延びるため面積は増大しているが、従来より横幅は短くすることができる。そのため、遊技盤１２裏面に多くのスペースを確保することが可能となる。空いたスペースには装置を追加することが可能となり、或いは巨大な装置を設けることが可能となり、遊技性の向上が望める。
【００２８】
また、払出装置３０を従来の弾球遊技機における払出装置よりも下方である上皿１６の排出口の近傍に設け、球通路３２を設けて払出装置３０と上皿１６の排出口とを連通することにより、入賞してから賞球を払出すまでの時間差を大幅に縮小することが可能となる。
【００２９】
図３を参照して払出装置３０の構成を説明する。この払出装置３０は手前側の払出装置４０及び奥側の払出装置５０が本体ケース４６内で一体に重なって形成されている。図３（ａ）、図３（ｂ）は球供給通路２０ａと連通する手前側の払出装置４０であり、図３（ｃ）、図３（ｄ）は球供給通路２０ｂと連通する奥側の払出装置５０である。
【００３０】
払出装置４０，５０は本体ケース４６を有し、球供給通路２０ａ，２０ｂから一列に整列して本体ケース４６の入球口４８，５８を遊技球Ｂが通過して流下するように構成されている。球供給通路２０ａ，２０ｂの鉛直方向にある入球口４８，５８の下方には、それぞれスプロケット４３，５３が配置され、入球口４８，５８がスプロケット４３，５３の回転軸４３ａの真上に位置している。スプロケット４３，５３と回転軸４３ａは一体に形成されている。スプロケット４３の外周には、遊技球Ｂを受け入れる複数（例えば３個）の凹部４３ｃが等間隔に形成され、両スプロケット４３，５３間で凹部４３ｃ，５３ｃの位置が互い違いとなっている。これにより、例えば図３（ａ）に示すように、一方のスプロケット４３の凹部４３ｃが入球口４８に対向しているときに、他方のスプロケット５３は、図３（ｃ）に示すように、凹部５３ｃ間の凸部５３ｂが入球口５８に対向した状態となる。
【００３１】
図３に示すように、スプロケット４３の回転軸４３ａは本体ケース４６に回転自在に支持され、回転軸４３ａの他端が正逆回転可能なモータ４５に嵌着されている。このモータ４５は、ステッピングモータ等の回転角を制御できるモータにより構成され、本体ケース４６内に保持されている。
【００３２】
次に、手前側の払出装置４０の動作について説明する。モータ４５が停止している時には、一方のスプロケット４３は、図３（ａ）又は図３（ｂ）に示すように、凹部４３ｃが入球口４８に対向して、凹部４３ｃ内に遊技球Ｂを受け入れて落下を阻止する。このとき、他方のスプロケット５３は、図３（ｃ）又は図３（ｄ）に示すように、凸部５３ｂが入球口５８に対向して入球口５８の遊技球Ｂを受け支えて落下を阻止する。この際、凹部４３ｃ内に受け入れられた遊技球Ｂは、球受け部４７で受け支えられる。
【００３３】
その後、遊技球の払出しが発生すると、モータ４５によりスプロケット４３，５３を反時計回り方向に回転させる。これにより図３（ａ）及び図３（ｃ）に示すように、凹部４３ｃが出口４８に対向する毎に遊技球Ｂを凹部４３ｃに受け入れ、その遊技球Ｂをスプロケット４３の左側に位置する上皿用の球流下路４２ａに落下させる。スプロケット４３が遊技球Ｂを球流下路４２ａに落下させているとき、スプロケット５３は遊技球Ｂを凹部５３ｃに受け入れ、モータ４５の回転に伴ってスプロケット４３と同じく、遊技球Ｂを上皿用の球流下路５２ａに落下させる。即ち、スプロケット４３，５３は遊技球を交互に１つずつ払出しを行っていることになる。この動作を所定の個数の遊技球を払出すまで繰り返す。このとき、遊技球が球流下路４２ａ下方に設けられたカウントスイッチ４１ａを通過する毎に、カウントスイッチ４１ａから検出信号が出力され、払出した賞球の個数をカウントする。なお、球流下路４２ａ，５２ａへと流下した遊技球Ｂは上皿１６へ至る球通路３２（図１参照）へと流下し、上皿１６へ払出される。
【００３４】
払出装置３０が払出しを行っている最中に、上皿満タンスイッチ３２ａによって上皿１６が満タンであることを検出した場合には、モータ４５を逆方向に回転させ、スプロケット４３，５３を時計回り方向に回転させる。これにより図３（ｂ）及び図３（ｄ）に示すように、スプロケット４３，５３は遊技球Ｂを夫々のスプロケット４３，５３の右側に位置する下皿用の球流下路４２ｂ及び５２ｂに落下させる。この動作を所定の個数の遊技球数を払出すまで繰り返す。このとき、遊技球Ｂが球流下路４２ｂ，５２ｂ下方に設けられたカウントスイッチ４１ｂ，５１ｂを通過する毎に、カウントスイッチ４１ｂ，５１ｂから検出信号が出力され、払出した賞球の個数をカウントする。なお、球流下路４２ｂ，５２ｂへと流下した遊技球Ｂは下皿１７へ至る球通路３３（図１参照）を経て溢れ球通路３４へと流下し、下皿１７へ払出される。
【００３５】
以上のようにして、上皿払出時と下皿払出時とで、スプロケット４３，５３の回転方向を切換えて、遊技球の流下先を上皿用の球流下路４２ａ，５２ａと下皿用の球流下路４２ｂ，５２ｂとの間で切換える。また、上皿満タンスイッチ３２ａ、下皿満タンスイッチ３４ａ、カウントスイッチ４１ａ，４１ｂ，５１ａ，５１ｂ等の検出信号によって、上皿１６及び下皿１７の球受皿部１６ａ，１７ａ内の状態に応じて、遊技球の払出し先を好適に切換えることが可能となる効果を発揮する。
【００３６】
図３（ｅ）に示す通り、払出装置３０は手前側の払出装置４０と奥側の払出装置５０とが本体ケース４６によって一体に取り付けられており、手前側の払出装置４０，奥側の払出装置５０を貫き、モータ４５に枢着されている軸４３ａにスプロケット４３，５３の凹部４３ｃ，５３ｃが夫々互い違いになるように固着されている。払出装置３０はモータ４５の一回転につき、スプロケット４３，５３の有する凹部４３ｃの数（図では３つ）の遊技球Ｂを払出す。図では互い違いに設けられたスプロケット４３，５３夫々が３個ずつ、合計で一回転につき６個の遊技球Ｂを払出すことになる。このとき、手前側の払出装置を賞球用、奥側の払出装置を貸球用として夫々用いる構成も考えられる。奥側の払出装置を賞球用、手前側の払出装置を貸球用としても良い。
【００３７】
カウントスイッチ４１ａ，４１ｂ，５１ａ，５１ｂを設ける位置は、従来のように各々の球流下路４２ａ，４２ｂ，５２ａ，５２ｂの出口４４ａ，４４ｂ，５４ａ，５４ｂ近傍に設けることが好ましいが、図３（ｆ）に示す構成を採ることも考えられる。
図３（ｆ）は払出装置３０の変更形態で、球流下路４２ａ，４２ｂ，５２ａ，５２ｂに取り付けたカウントスイッチ４１ａ，４１ｂ，５１ａ，５１ｂを外し、球供給通路２０ａ，２０ｂの出口２３ａ，２３ｂと接する、手前側の払出装置４０の入球口４８及び、奥側の払出装置５０の入球口５８に夫々カウントスイッチ４１，５１を設ける構成としたものである。入球口４８，５８近傍にカウントスイッチ４１，５１を設けることによって半分のカウントスイッチ数で好適に払出した遊技球を計数することが可能となる。従ってスイッチの数が好適に低減できる効果を発揮する。なお、カウントスイッチ４１，５１を取り付ける位置は払出装置３０の入球口４８，５８より上方であれば、球供給通路２０ａ，２０ｂ内に取り付けても良い。
【００３８】
図４は払出装置３０の回転変化の基本的な流れを説明するフローチャートで、払出制御基板（図示略）のマイコンにより実行されるメイン処理を表したものであり、約２ｍｓ毎のハードウェア割り込みにより定期的に実行される処理である。遊技盤面上の入賞口に遊技球が入賞し、賞球払出しが発生すると（ステップＳ１００）モータ４５は正回転し（ステップＳ１１０）、上皿１６に遊技球Ｂを払出す（ステップＳ１２０）。しかしこの時、上皿満タンスイッチ３２ａによって上皿１６の球受皿部１６ａが満タンであると検出された場合（ステップＳ１３０）、モータ４５は逆回転し（ステップＳ１４０）、下皿１７に遊技球Ｂを払出し（ステップＳ１５０）、リターンに抜ける。このとき、ステップＳ１３０において、上皿１６の球受皿部１６ａが満タンになったことを検出し、モータ４５が逆回転して下皿１７へと払出しを行うまでの間に、上皿１６に払出されてしまった遊技球Ｂは、図８の斜線の矢印Ｙが示す球流下経路と同様に、溢れ球通路３４を経て下皿１７に流下する構成となっている。
上皿１６及び下皿１７内部の遊技球Ｂの貯留状態に応じて遊技球Ｂの払出し先を振り分けることができるので、常に好適な払出し先を選択することができるという効果を発揮する。
【００３９】
図１、図２、図３に示すように、手前側の払出装置４０，奥側の払出装置５０の球流下路４２ａ，５２ａの出口４４ａ，５４ａに連通する位置には球通路３２が取り付けられている。球通路３２は上皿１６と手前側の払出装置４０とを連通し、払出装置３０によって上皿１６へ振り分けられた遊技球Ｂを上皿１６の球受皿部１６ａへと誘導する。
球通路３２内には、上皿１６の球受皿部１６ａが満タンになったか否かを検出する上皿満タンスイッチ３２ａが設けられており、上皿１６の球受皿部１６ａ内に遊技球Ｂを貯留するだけの余裕があるか否かを適宜満タン検出信号として出力している。故に払出装置３０は上皿１６の球受皿部１６ａの状態に応じて好適に遊技球Ｂの払出し先を振り分けることができるという効果を発揮する。
【００４０】
また、上皿１６外側の所定の位置には払出先切換釦１６ｅが設けられており、遊技者が払出先切換釦１６ｅを押下することで、上皿払出しを下皿払出しに切換え、若しくは下皿払出しを上皿払出しに切換えることが可能である。払出先切換釦１６ｅを操作することによって、遊技者の要望に柔軟に対応する払出し先の切換えが可能となる。なお、払出先切換釦１６ｅを設ける位置は、遊技中の遊技者が操作するのに困難でなければ、上皿１６の外側に限定されるものではない。また、払出し先の切替える条件についても、払出先切替釦１６ｅの操作に限定されるものではなく、例えば、（１）回動可能に取り付けた上皿１６を開放状態にしている場合には下皿１７へと払出し先を切換える、（２）上皿１６の球抜きスイッチ１６ｆを操作している場合には下皿１７へと払出し先を切換える、といった構成も考えられる。また遊技球の払出し先についても、上皿１６と発射レール（図示略）とに払出し先を振り分ける構成も考えられる。
【００４１】
手前側の払出装置４０，奥側の払出装置５０の球流下路４２ｂ，５２ｂの出口４４ｂ，５４ｂに連通する位置には球通路３３が取り付けられている。球通路３３は上皿１６から溢れた遊技球Ｂを下皿１７に誘導する溢れ球通路３４に連通するように設けられており、払出装置３０によって下皿１７へ振り分けられた遊技球Ｂを溢れ球通路３４を介して下皿１７の球受皿部１７ａへと誘導する。
溢れ球通路３４内には下皿１７の球受皿部１７ａが満タンになったか否かを検出する下皿満タンスイッチ３４ａが設けられており、下皿１７の球受皿部１７ａ内に遊技球Ｂを貯留するだけの余裕があるか否かを適宜満タン検出信号として出力している。故に払出装置３０は下皿１７の球受皿部１７ａの状態に応じて好適に遊技球Ｂの払出し先を振り分けることができるという効果を発揮する。なお、上皿満タンスイッチ３２ａ及び下皿満タンスイッチ３４ａ共に満タン信号の検出がある場合には払出装置３０は払出しを停止する構成としても良い。
【００４２】
図１、図２に示すように、本実施形態における払出装置３０は、従来の払出装置３３０（図７、図８参照）よりも下方に配置されている。そのため、賞球制御基板２２との距離が近く、従来の弾球遊技機３１０よりも短い配線で賞球制御基板２２と払出装置３０とを結ぶことができ、配線も容易であるという効果を発揮する。
【００４３】
図５を参照して上皿１６の球受皿部１６ａ内の構成について説明する。図５（ａ）は球受皿部１６ａに遊技球Ｂがある状態を示す平面図で、球受皿部１６ａ内は右端から遊技球Ｂが発射装置へ向けて下るよう傾斜状に形成されており、球受皿部１６ａ内に排出された遊技球Ｂは側壁部によって１列にして発射装置へと誘導できる構成となっている。球受皿部１６ａ内に設けられた金属製のプレートがタッチセンサ１６ｂであり、図に示す通り、タッチセンサ１６ｂ上に遊技球Ｂ１が接触すると通電し、タッチセンサ１６ｂに検出される。故に球受皿部１６ａに遊技を行うのに最低限必要な遊技球Ｂがあると判断することができる。このとき、払出装置３０は下皿１７へと賞球の払出し先を切換える。また、上皿１６外側には遊技者の操作によって球受皿部１６ａ内の遊技球を下皿１７へと流下させる球抜きスイッチ１６ｆを備えている。なお、上皿１６外側の裏面に備えられているのは、上皿１６から取り込んだ遊技球Ｂを発射装置（発射レール）に送るための球送りケース１６ｇである。
【００４４】
図５（ｂ）は球受皿部１６ａに遊技球Ｂがない状態を示す平面図で、遊技球Ｂが発射装置へと流下して、発射装置から遊技盤面に発射されていくにつれて球受皿部１６ａ内の遊技球Ｂは減少していき、やがてタッチセンサ１６ｂ上に遊技球Ｂが一つも接触していない状態になりタッチセンサ１６ｂに検出されなくなる。故に球受皿部１６ａ内の遊技球Ｂが不足していると判断することができる。このとき、払出装置３０は上皿１６へと賞球の払出し先を切換える。そして遊技球Ｂが球受皿部１６ａ内のタッチセンサ１６ｂに接触する程度に満たされるまで上皿１６への払出しを継続する。
【００４５】
上皿１６の球受皿部１６ａ内にタッチセンサ１６ｂを設けることによって、球受皿部１６ａ内に遊技者が遊技を行うのに最低限必要な遊技球Ｂが貯留されているかを検出することが可能である。遊技球Ｂが不足（タッチセンサ１６ｂに検出されない）している場合には、払出装置３０は上皿１６ａに遊技球Ｂを払出す。遊技球Ｂが充分にある（タッチセンサ１６ｂに検出されている）場合には、下皿１７に遊技球Ｂを払出す。これにより上皿１６が満タンになれば上皿満タンスイッチ３２ａにて検出され、上皿１６の遊技球Ｂが少なくなればタッチセンサ１６ｂに検出され、上皿１６の充填状態を好適に調整できる。
【００４６】
上記した払出装置３０の払出し先の切換えを適宜行うことで、上皿１６の球受皿部１６ａ内の遊技球数を、遊技者が遊技を行うのに好適な状態に保つことが可能であるという効果を発揮する。なお、タッチセンサ１６ｂは球受皿部１６ａ内の遊技球Ｂの増減を検出できるものであれば、他のセンサ、手段を用いても良い。
【００４７】
なお、上皿１６外側の所定の位置には、遊技者の操作によって遊技球の払出し先を切換える払出先切換釦１６ｅが設けられていることもある。
【００４８】
図６は本発明の変更形態の弾球遊技機１１０である。図６の弾球遊技機１１０は概ね弾球遊技機１０と同様であるので、共通する部品については図示及び説明を援用し、特に違いのある点についてのみ説明する。
【００４９】
図６においては図１と共通する部品番号を１００番台としたものである。
従来の弾球遊技機から球タンクとタンクレールを排して、島設備の供給樋部１６１から補給シュート１６２、補給ノズル１６３を経て球供給通路１２０ａ，１２０ｂ内に遊技球を直接供給し、補給ノズル１６３及び球供給通路１２０ａ，１２０ｂとの間には球計数装置１６４が設けられており、供給樋部１６１から、弾球遊技機１１０内に入球した遊技球の個数を計数している。
【００５０】
このとき、球供給通路１２０ａ，１２０ｂが２条の構成であるため、補給ノズル１６３も２条の構成をとることが望ましい。また、補給ノズル１６３と球供給通路１２０ａ，１２０ｂの間に、１条の補給ノズル１６３から流下した遊技球Ｂを２条の球供給通路１２０ａ，１２０ｂ（図示なし）に振り分けるための振分装置（図示なし）を設けて、補給ノズル１６３を島設備の補給球通路に合わせて１条の構成とすることも考えられる。なお、補給ノズルを１条の構成とした場合には現行の島設備において使用することが可能である。
【００５１】
島設備から直接、球供給通路１２０ａ，１２０ｂに遊技球Ｂを補給することによって、球タンク１１３及びタンクレール１１３ａを排することが可能となり、弾球遊技機１１０裏面の機構板１１１に多くのスペースを確保することが可能であるという効果を発揮する。
【００５２】
尚、本発明の実施の形態は、上述の実施形態に何ら限定されるものではなく、本発明の技術的範囲に属する限り種々の形態を採り得る。例えば、上皿と下皿を有する構成の遊技機であるならば実施することが可能なので、パチンコ機全般及びパチロットにおいても実施可能である。このとき、パチロットとはパチンコ球でスロット遊技を行うことができる遊技機のことである。
【００５３】
また、正逆回転可能なモータを制御して遊技球を上皿１６と発射レール（図示略）とに振り分けて払出す構成も考えられる。例えばモータが正回転しているときは上皿１６に遊技球を払出し、モータが逆回転しているときは発射レールに払出す。故に封入式遊技機に好適に対応することができる効果を有する。このとき封入式遊技機とは、予め封入されて遊技盤面内に直接打ち出し循環する遊技球と、遊技者の手持ち分とされる持ち球とを区別し、持ち球を所定数ずつ使用処理することに対して封入された遊技球を同等価値の個数ずつ遊技盤面内に打ち込むことで遊技を展開する遊技機のことである。
【図面の簡単な説明】
【図１】本実施形態における弾球遊技機１０の裏面図である。
【図２】本実施形態における弾球遊技機１０の側面断面図である。
【図３】手前側払出装置４０の動作図（ａ），（ｂ）及び奥側払出装置５０の動作図（ｃ），（ｄ）、払出装置３０の側面断面図（ｅ）、払出装置３０の変更形態の正面図（ｆ）である。
【図４】払出装置３０の払出しの振り分けについて示したフローチャートである。
【図５】球受皿部１６ａ内にタッチスイッチ１６ｂを設けた上皿１６の平面図である。
【図６】本実施形態の変更形態の弾球遊技機１１０について示した裏面図である。
【図７】従来の弾球遊技機３１０裏面の構成図である。
【図８】従来の弾球遊技機３１０の機構板３１１における遊技球の流れを示す、平面図（ａ）、裏面図（ｂ）及び側面断面図（ｃ）である。
【符号の説明】
１０…弾球遊技機    １１…機構板    １２…遊技盤    １３…球タンク
１３ａ…タンクレール    １４…二重ガラス    １５…内枠    １６…上皿
１６ａ…（上皿の）球受皿部    １６ｂ…（上皿の）タッチセンサ
１６ｄ…排出口    １６ｅ…払出先切換釦
１６ｆ…球抜きスイッチ    １７…下皿    １７ａ…（下皿の）球受皿部
１８…外枠    ２０ａ…（手前側）球供給通路    ２０ｂ…（奥側）球供給通路
２１ａ…（手前側）球有り検出ＳＷ    ２１ｂ…（奥側）球有り検出ＳＷ
２２…賞球制御基板    ２３ａ…（手前側球供給通路の）出口
２３ｂ…（奥側球供給通路の）出口    ３０…払出装置
３２…（上皿へ至る）球通路    ３２ａ…上皿満タンＳＷ
３３…（下皿へ至る）球通路    ３４…溢れ球通路    ３４ａ…下皿満タンＳＷ
３５…ケースレール    ３６…球貸装置    ４０…（手前側）払出装置
４１…手前側カウントスイッチ    ４２ａ…上皿側球流下路
４２ｂ…下皿側球流下路    ４３…スプロケット
４３ａ…（スプロケットの）回転軸    ４３ｂ…（スプロケットの）凸部
４３ｃ…（スプロケットの）凹部    ４５…モータ    ４６…本体ケース
４７…球受け部    ４８…（払出し装置の）入球口    ５０…（奥側）払出装置
５１…奥側カウントスイッチ    ５２ａ…上皿側球流下路
５２ｂ…下皿側球流下路    ５３…スプロケット
５３ｂ…（スプロケットの）凸部    ５３ｃ…（スプロケットの）凹部
５４ａ…（上皿側）出口    ５４ｂ…（下皿側）出口    ５７…球受け部
５８…（払出し装置の）入球口    ６１…（島設備の）供給樋部
６２…補給シュート    ６３…補給ノズル    ６４…球計数装置
７１…保護カバー    ７２…ランプ制御基板ケース    ７３…主基板ケース
７４…電源基板ケース    ７５…発射制御基板ケース    ７６…払出制御基板ケース
７７…音声制御基板ケース    ７８…球貸機構部    Ｂ…遊技球
【図１】
2004236835.tif 000003
【図２】
2004236835.tif 000004
【図３】
2004236835.tif 000005
【図４】
2004236835.tif 000006
【図５】
2004236835.tif 000007
【図６】
2004236835.tif 000008
【図７】
2004236835.tif 000009
【図８】
2004236835.tif 000010